(57)【要約】【課題】ＨＤＤおよびＤＶＤ等の複数の記録媒体を備えるデータ記録再生装置において、一方の記録媒体から他方の記録媒体へ簡単且つ効率的にデータのコピーを可能にするデータ記録再生方法および装置を提供する。【解決手段】入力データの圧縮処理を行う圧縮処理部１０１、その出力に基づき複数の記録媒体であるＨＤＤ１０７、ＤＶＤ１０８に記録する記録処理部１０２、ＨＤＤ１０７又はＤＶＤ１０８から記録データを再生して出力する再生処理部１０３、入力データにユーザが決定する優先度情報を入力する優先度入力部１０５、再生処理部１０３から優先度情報を読み出す優先度制御部１０６およびＤＶＤ１０８又はＨＤＤ１０７から再生したデータを優先度制御部１０６の制御下で再圧縮処理して記録処理部１０２を介してＨＤＤ１０７又はＤＶＤ１０８へコピーする再圧縮処理部１０４を備える。【選択図】図１
2006053964.tif 000002
【特許請求の範囲】
【請求項１】
それぞれ記録容量等の異なる複数の記録媒体を備え、該記録媒体に記録された映像等の入力データを再生出力すると共に必要に応じて一方の記録媒体から他方の記録媒体へ所定のデータ圧縮率で再圧縮してコピーするデータ記録再生方法において、
前記一方の記録媒体から前記他方の記録媒体へのデータの再圧縮コピー時に、前記入力データの優先度情報を入力することと、該入力データの前記優先度情報を取り出すことと、該取り出された優先度情報に基づき前記再圧縮率を計算して前記データを前記他方の記録媒体へコピーすることとを特徴とするデータ記憶再生方法。
【請求項２】
前記優先度情報は、ヘッダ情報部に書き込まれることを特徴とする請求項１に記載のデータ記録再生方法。
【請求項３】
前記優先度情報は、例えば１〜５等の複数段階とし、コピーするデータのサイズおよび前記記録媒体の記憶容量に応じて前記各段階の優先度に対するデータ再圧縮率を計算して前記他方の記録媒体にコピーすることを特徴とする請求項１又は２に記載のデータ記録再生方法。
【請求項４】
前記複数の記録媒体は、比較的記録容量の大きいハードディスク（ＨＤＤ）および比較的記録容量の小さいデジタル多用途ディスク（ＤＶＤ）であることを特徴とする請求項１、２又は３に記載のデータ記録再生方法。
【請求項５】
それぞれ記録容量等が異なる複数の記録媒体を含み、該複数の記録媒体に記録処理部によりデータを記録すると共に前記記録媒体に記録されたデータを再生処理部で再生して出力するデータ記録再生装置において、
前記記録処理部の前段に映像等の入力データをユーザが決定する優先度情報と共に圧縮処理する圧縮処理部を備えることを特徴とするデータ記録再生装置。
【請求項６】
前記優先度情報は、優先度入力部から前記入力データのヘッダ情報部分に書き込まれることを特徴とする請求項５に記載のデータ記録再生装置。
【請求項７】
前記再生処理部の出力データを再圧縮処理して前記記録処理部へ出力する再圧縮処理部および前記再生処理部から前記優先度情報を取り出し、前記再圧縮処理部の再圧縮処理を制御する優先度制御部を備えることを特徴とする請求項５又は６に記載のデータ記録再生装置。
【請求項８】
前記優先度情報は、複数段階の優先度を有し、該優先度に応じて前記優先度制御部が前記再圧縮処理部による前記再生データの適切な再圧縮率を決定することを特徴とする請求項５、６又は７に記載のデータ記録再生装置。
【請求項９】
前記優先度制御装置は、既に記録したデータの優先度を変更可能であることを特徴とする請求項７又は８に記載のデータ記録再生装置。
【請求項１０】
前記優先度制御装置は、記録済みデータを優先度順にソートし、前記記録媒体から削除可能なデータをユーザに通知することを特徴とする請求項７又は８に記載のデータ記録再生装置。
【請求項１１】
前記データ記録再生装置は、ネットワークに接続して他の装置との間でデータ転送すると共に前記他の装置上においても優先度を利用した記録データの処理を行うことを特徴とする請求項５乃至１０の何れかに記載のデータ記録再生装置。
【発明の詳細な説明】
【技術分野】
【０００１】
本発明はデータ記録再生方法および装置に関し、特にハードディスク(ＨＤＤ)やデジタルビデオディスク又はデジタル多用途ディスク(ＤＶＤ) 等にマルチメディアデータを記録および再生する方法および装置に関する。
【背景技術】
【０００２】
近年のデジタル技術の進歩により、従来使用されてきた磁気テープ等による記録再生装置に代わり、ＨＤＤを記録媒体とする記録再生装置(即ち、ＨＤＤレコーダ)が注目を集めている。近年、ＨＤＤは、大容量且つ高速化が進み、斯かるＨＤＤの使用により、長時間の映像（又は画像データ）が記録再生可能になっている。また、記録可能なＤＶＤを使用する記録再生装置(又はＤＶＤレコーダ)も、ＨＤＤレコーダ同様に、テープ記録媒体に代わる新しい記録再生装置として注目を集めている。
【０００３】
更に、ＨＤＤレコーダの機能およびＤＶＤレコーダの機能を兼備する記録再生装置(ハイブリッドレコーダ)も普及し始めている。これらの記録再生装置では、映像をＭＰＥＧ−２等の符号化方式により符号化して記録する。斯かるハイブリッドレコーダにおいては、日常行われる映像の記録は、ＨＤＤ上で行い、バックアップのため又は他の再生装置での再生のためにＤＶＤへコピーするという使用形態が一般的である。
【０００４】
しかし、上述したハイブリッドレコーダにおいては、ＨＤＤの記録容量は一般にＤＶＤの記録容量よりも遥かに大きい。このため、複数のデータをＤＶＤにコピーする場合には、1枚のＤＶＤには記録できない場合がある。また、大容量のＨＤＤに記録する際には、残容量に余裕があるため高いビットレートで記録することが多い。そのため、ＨＤＤに記録したデータは、データサイズが大きくなる傾向があり、１枚のＤＶＤに収まらない場合が多い。
【０００５】
上述の如き場合には、ＨＤＤのデータを再圧縮してデータのサイズを小さくし、1枚のＤＶＤに記録する必要がある。再圧縮してデータのサイズを小さくする場合には、ユーザにとって大切なデータも、大切でないデータも均一の圧縮率で再圧縮されてしまう。ユーザが記録したデータには、そのユーザにとり重要性の順位(優先度)があり、その順位に応じた圧縮率で再圧縮を行うことが望ましい。また、上述の如き記録再生装置をネットワークに接続して、データの編集をＰＣ（パーソナルコンピュータ）等の他の装置で行う使用方法も普及してきている。このような場面にも、優先度を利用した編集が可能であるのが好ましい。
【０００６】
優先度を考慮して高画質で保存したいコンテンツと低画質としてもよいコンテンツとを区別してデータの再圧縮を可能にした情報記録再生装置および情報記録再生方法が開示されている（例えば、特許文献１参照。）。また、使用者にとって最も不要な番組から順に消去可能にするデジタル放送記録再生装置も開示されている（例えば、特許文献２参照。）。更に、所定の記録容量を有する記録媒体に、その標準記録時間を越えて複数の信号を記録再生する信号記録方法および装置等が開示されている（例えば、特許文献３参照。）。
【０００７】
【特許文献１】特開２００３-２３５００９号公報（第５−６頁、第１図）
【特許文献２】特開２００１−１０１７９７号公報（第４頁、第１図）
【特許文献３】特開平１０−２３４０００号公報（第５−６頁、第１図）
【発明の開示】
【発明が解決しようとする課題】
【０００８】
上述の如き従来技術を使用すると、優先度に関するデータが記録した映像データとは独立して存在している。また、その優先度は、ＨＤＤのみを搭載した装置の内部でのみ使用されることを想定している。従って、複数の記録再生装置をネットワークで接続して、そのネットワーク上に接続した他の装置上で優先度を利用した映像編集を行いたい場合には、斯かる従来技術では、優先度を取り扱うことができないという問題がある。また、複数の装置においてＤＶＤに記録した複数のデータを集めて、1枚のＤＶＤに再度編集するような場合に、従来技術では優先度を扱うことができないという問題がある。
【０００９】
本発明は、従来技術の上述した課題に鑑みなされたものであり、複数の記録再生装置を接続してネットワーク上の複数のデータを編集する場合や、複数の記録再生装置で記録したデータを集めて編集する場合においても、優先度を利用した編集を可能にするデータ記録再生方法および装置を提供することを目的とする。
【課題を解決するための手段】
【００１０】
前述の課題を解決するため本発明のデータ記録再生方法および装置は次のような特徴的な構成を採用している。
【００１１】
（１）それぞれ記録容量等の異なる複数の記録媒体を備え、該記録媒体に記録された映像等の入力データを再生出力すると共に必要に応じて一方の記録媒体から他方の記録媒体へ所定のデータ圧縮率で再圧縮してコピーするデータ記録再生方法において、
前記一方の記録媒体から前記他方の記録媒体へのデータの再圧縮コピー時に、前記入力データの優先度情報を入力することと、該入力データの前記優先度情報を取り出すことと、該取り出された優先度情報に基づき前記再圧縮率を計算して前記データを前記他方の記録媒体へコピーするデータ記憶再生方法。
【００１２】
（２）前記優先度情報は、ヘッダ情報部に書き込まれる上記（１）のデータ記録再生方法。
【００１３】
（３）前記優先度情報は、例えば１〜５等の複数段階とし、コピーするデータのサイズおよび前記記録媒体の記憶容量に応じて前記各段階の優先度に対するデータ再圧縮率を計算して前記他方の記録媒体にコピー上記（１）又は（２）のデータ記録再生方法。
【００１４】
（４）前記複数の記録媒体は、比較的記録容量の大きいハードディスク（ＨＤＤ）および比較的記録容量の小さいデジタル多用途ディスク（ＤＶＤ）である上記（１）、（２）又は（３）のデータ記録再生方法。
【００１５】
（５）それぞれ記録容量等が異なる複数の記録媒体を含み、該複数の記録媒体に記録処理部によりデータを記録すると共に前記記録媒体に記録されたデータを再生処理部で再生して出力するデータ記録再生装置において、
前記記録処理部の前段に映像等の入力データをユーザが決定する優先度情報と共に圧縮処理する圧縮処理部を備えるデータ記録再生装置。
【００１６】
（６）前記優先度情報は、優先度入力部から前記入力データのヘッダ情報部分に書き込まれる上記（５）のデータ記録再生装置。
【００１７】
（７）前記再生処理部の出力データを再圧縮処理して前記記録処理部へ出力する再圧縮処理部および前記再生処理部から前記優先度情報を取り出し、前記再圧縮処理部の再圧縮処理を制御する優先度制御部を備える上記（５）又は（６）のデータ記録再生装置。
【００１８】
（８）前記優先度情報は、複数段階の優先度を有し、該優先度に応じて前記優先度制御部が前記再圧縮処理部による前記再生データの適切な再圧縮率を決定する上記（５）、（６）又は（７）のデータ記録再生装置。
【００１９】
（９）前記優先度制御装置は、既に記録したデータの優先度を変更可能である上記（７）又は（８）のデータ記録再生装置。
【００２０】
（１０）前記優先度制御装置は、記録済みデータを優先度順にソートし、前記記録媒体から削除可能なデータをユーザに通知する上記（７）又は（８）のデータ記録再生装置。
【００２１】
（１１）前記データ記録再生装置は、ネットワークに接続して他の装置との間でデータ転送すると共に前記他の装置上においても優先度を利用した記録データの処理を行う上記（５）乃至（１０）の何れかのデータ記録再生装置。
【発明の効果】
【００２２】
本発明のデータ記録再生方法および装置によると、次の如き実用上の顕著な効果が得られる。先ず、ネットワークに接続した複数の記録再生装置においてもデータ優先度を利用したデータ編集が可能である。その理由は、記録したデータにはユーザが設定した優先度に関する情報が含まれており、ネットワーク上の他の装置上においても、優先度情報が利用可能であるからである。
【００２３】
次に、複数の装置で記録したデータを集めてデータ編集を行う場合においても、データ優先度を利用したデータ編集が可能である。その理由は、記録したデータにはユーザが設定した優先度に関する情報が含まれており、データ編集の際に、データの中からその優先度を取り出せるからである。
【００２４】
更に、複数のデータを1枚のＤＶＤへコピーする場合に必要となる再圧縮処理において、ユーザが設定した優先度に応じて圧縮率を変えることが可能である。その理由は、記録したデータにはユーザが設定した優先度に関する情報が含まれており、再圧縮の際に、その優先度に応じた圧縮率が設定可能であるからである。
【実施例】
【００２５】
以下、本発明によるデータ記録再生方法および装置の好適実施例について、添付図面を参照して詳細に説明する。
【００２６】
先ず、図１は、本発明によるデータ記録再生装置の第１実施例の構成を示す機能ブロック図である。本発明による第１実施例のデータ記録再生装置１００は、圧縮処理部１０１、記録処理部１０２、再生処理部１０３、再圧縮処理部１０４、優先度入力部１０５、優先度制御部１０６およびデータ蓄積（又は記録）手段であるＨＤＤ（第１記録媒体）１０７、ＤＶＤ（第２記録媒体）１０８により構成される。ここで、ＨＤＤ１０７は、ＤＶＤ１０８に比較して十分大きい記録容量を有する。
【００２７】
先ず、このデータ記録再生装置１００を構成する各部の主要機能を説明する。圧縮処理部１０１は、入力データ、即ち入力される映像等のデータを圧縮する。入力データは、他のデータ記録再生装置に記録されたデータの再生データ、ＰＣ（パーソナルコンピュータ）等から出力されるデータ、デジタルカメラ等により撮影された映像（又は画像）データ等（以下、マルチメディアデータともいう）である。記録処理部１０２は、圧縮処理部１０１により圧縮されたデータを記録する。再生処理部１０３は、記録処理部１０２によりＨＤＤ１０７又はＤＶＤ１０８などに記録したデータを再生してモニタ等のユーザインタフェース（図示せず）に出力する。再圧縮処理部１０４は、状況に応じて再圧縮を行う。優先度入力部１０５は、優先度の入力を行う。優先度制御部１０６は、優先度から再圧縮時の圧縮率を求める。ＨＤＤ１０７およびＤＶＤ１０８は、それぞれデータを蓄積する。
【００２８】
次に、図１に示す本発明の好適実施例によるデータ記録再生装置１００の全体動作を詳細に説明する。
【００２９】
入力データである映像等のマルチメディアデータは、圧縮処理部１０１にて圧縮処理され且つ符号化される。符号化されたデータは、記録処理部１０２にて記録され、ユーザの選択に応じてＨＤＤ１０７又はＤＶＤ１０８に記録される。圧縮処理部１０１で圧縮処理が行われる際に、ユーザは、そのデータの優先度、即ちユーザにとりそのデータの重要度を入力する。
【００３０】
優先度情報は、優先度入力部１０５によりユーザからの入力を受け取り、符号化されたデータストリーム内部に格納される。例えば、ＨＤＤレコーダでは、ＭＰＥＧ−２（Moving Picture Experts Group 2）方式で記録するのが一般的である。この特定実施例では、図２に示す如くＭＰＥＧ−２のヘッダ内の「ユーザデータ」と呼ばれる領域に優先度を記録する。
【００３１】
記録したデータを再生する場合には、ＨＤＤ１０７又はＤＶＤ１０８に記録されているデータを、再生処理部１０３が読み出し復号を行い、モニタやスピーカ等の出力装置に出力する。また、ＨＤＤ１０７上の複数データをＤＶＤ１０８にコピーする際に、データ容量がＤＶＤ１枚の容量を超えてしまう場合には、ＤＶＤ１枚のサイズに収まるように、再圧縮処理部１０４にてデータの再圧縮を行い、データサイズを小さくする。このとき、先ず、再生処理部１０３は、各データのヘッダ部分のみを復号し、各データの優先度を取り出す。この取り出された優先度は、優先度制御部１０６に送られ、各データの圧縮率が計算される。そして、データは、この圧縮率により再圧縮処理部１０４にて再圧縮される。この再圧縮されたデータは、記録処理部１０２によりＤＶＤ１０８に記録される。
【００３２】
優先度は、例えば１から５までの整数値を持ち、優先度が５のときは、最重要データであるので、再圧縮を禁止する。一方、優先度が１のときは、重要度の低いデータであるので、高い圧縮率で再圧縮してもよいこと示すものとする。また、優先度が２〜４の場合には、数字の大きさに反比例して圧縮率の高さを高くするものとする。即ち、優先度２のデータは、優先度３のデータよりも高い圧縮率で再圧縮され、優先度３のデータは、優先度４のデータよりも高い圧縮率で再圧縮される。
【００３３】
この優先度は、データの記録時にユーザにより入力されるが、記録後にユーザにより優先度を変更可能にすることにより、後に変化するであろうデータの重要度に対応させることができる。また、優先度の段階は、必ずしも１〜５の５段階である必要はなく、６段階以上でも５段階未満でもよいこと勿論である。また、優先度が最高の場合に、再圧縮を必ずしも禁止しなくてもよく、再圧縮率を最小にするのみでもよい。
【００３４】
図３は、図１に示すデータ記録再生装置１００におけるデータ（又は映像）の優先度の設定の具体例を示す。この具体例では、シーン１〜シーン５の５つのシーンを記録する場合を示す。ここで、帯で図示するシーン１〜５の長さは、各シーンのデータ量を示す。また、シーン１、シーン２、シーン３、シーン４およびシーン５の優先度として、ユーザはそれぞれ優先度５、優先度１、優先度５、優先度２および優先度４を入力（指定）している。
【００３５】
上述の如く、本発明のデータ記録再生装置によると、記録されたデータ中にユーザにとってのそのデータの重要性を示す「優先度」情報が含まれているため、この優先度を保存するメモリを別個に用意することなく、再圧縮処理部１０４で優先度を使用した再圧縮が可能となる。これにより、優先度に応じた圧縮率で再圧縮が可能になり、ユーザにとり重要度の高いデータは、例えば再圧縮を行うことなく、高画質のままＤＶＤ１０８にコピー可能である。
【００３６】
次に、図１に示す本発明によるデータ記録再生装置１００によるデータ記録再生の幾つかの具体例を説明する。先ず、第１具体例として、ＨＤＤ１０７に記録された１つ以上のデータをＤＶＤ１０８にコピーする際に、データサイズがＤＶＤ１０８の容量より大きい場合に必要となる再圧縮について説明する。この場合には、以下の手順により「優先度」を反映させた再圧縮を行う。先ず、ＨＤＤ１０７に複数のシーンが予め記録されているものとする。そこで、コピーするデータを再生処理部１０３によりＨＤＤ１０７から読み出してデータを再生させ、モニタ（図示せず）等に表示させる。この再生は、倍速や早送り等の特殊再生又は通常の再生により行う。ユーザは、表示された映像を観ながら、シーン毎に優先度を入力する。
【００３７】
優先度入力部１０５により、再生中の映像のシーンに応じた優先度がユーザにより入力され、ＭＰＥＧ−２データの該当シーンのヘッダ部分に優先度が記録される。この優先度入力操作により、例えば図３を参照して上述した如く、１つのデータに対して、シーン毎に複数の優先度を持たせることが可能になる。
【００３８】
ＤＶＤ１０８にコピーする際に再圧縮が必要となる場合には、先ず再生処理部１０３が各データのヘッダ部分のみを復号し、データの各シーンにおける優先度を取り出す。この取り出された優先度は、優先度制御部１０６に送られ、シーン毎の圧縮率が計算される。データは、この計算された圧縮率により再圧縮処理部１０４にて再圧縮される。ユーザにとり重要性の低いシーンのみが高い圧縮率で再圧縮され、ユーザにとり重要性の高い（即ち、大切な）シーンは高画質のままコピーされる。このように、記録されたデータ中にユーザの判断に基づくデータの重要性を示す優先度がシーン毎に含まれているので、再圧縮の際にユーザにとり重要度の高いシーンと重要度の低いシーンとで圧縮率を変えることが可能となる。
【００３９】
次に、第２具体例を説明する。ＰＣ（パーソナルコンピュータ）等の外部装置を使用して、データ記録再生装置で録画したデータを編集する場合には、このデータ記録再生装置１００のＨＤＤ１０７上又はＤＶＤ１０８上にあるＭＰＥＧ−２データをＰＣへコピーし、編集を行う。このとき、データ記録再生装置１００では、記録されているＭＰＥＧ−２データは、そのストリーム内部にユーザが設定した優先度が格納されているので、ＰＣ上でも優先度の値を扱うことが可能となり、優先度を反映した編集が可能となる。
【００４０】
次に、第３具体例を説明する。複数のデータ記録再生装置により複数枚のＤＶＤに記録したデータを集めて１枚のＤＶＤにコピーする際に再圧縮が必要となる場合には、ＤＶＤ１０８上にあるＭＰＥＧ−２データをＨＤＤ１０７へコピーし、編集を行う。このとき、データ記録再生装置１００では、記録されているＭＰＥＧ−２データは、そのストリーム内部にユーザが設定した優先度が格納されているので、複数枚のＤＶＤからデータを集めてきても優先度の値を扱うことが可能となり、優先度を反映した再圧縮が可能となる。
【００４１】
次に、第４具体例を説明する。ＨＤＤ１０７に新たなデータを記録しようとする場合に、ＨＤＤ１０７の記憶容量が不足しているときは、ユーザは既に記録されているデータの中から不要なものを削除する必要がある。この場合に、以下の手順で不要なデータを選択し易くする。先ず、通常の記録時に上述の如くユーザの判断に基づく優先度を優先度入力部１０５から入力し、優先度をＭＰＥＧ−２データのヘッダ部に書き込む。このような形で記録した複数のデータの中から、不要なものを選択する場合には、先ず再生処理部１０３が全データのヘッダ部分のみを復号し、各データの優先度を取り出す。
【００４２】
取り出された優先度は、優先度制御部１０６に送られ、優先度の高い順に記録されたデータをソートする。そして、図４のユーザインタフェース（例えば、モニタ）に示す如く、記録データ名（例えば、データＡ、データＢ、・・・）毎にユーザの判断に基づく優先度（例えば、優先度１乃至５）をリスト状に明瞭に表示する。ユーザは、この表示に従って、重要度の低い（例えば、優先度が２以下）データを選択して削除可能にする。
【００４３】
更に、本発明によるデータ記録再生装置１００の動作を、図５の説明図を参照して具体的に説明する。図５に示す具体例では、上側に再圧縮前のデータを示し、下側に再圧縮後のデータを図示している。
【００４４】
図５に示す如く、ＨＤＤ１０７上には、いずれも８ＭｂｐｓのＭＰＥＧ−２データがＡ〜Ｅの５つある。これら各データＡ〜Ｅのサイズは、１．２ＧＢであると仮定する。従って、これら５つのデータＡ〜Ｅの合計サイズは６ＧＢとなる。これらデータＡ〜Ｅの各データには記録時に優先度が付けられており、即ち、これら各データＡ〜Ｅ中のユーザデータ領域に１から５のいずれかの優先度が書き込まれている。図５に示す具体例では、データＡの優先度は５、データＢの優先度は４、データＣの優先度は３、データＤの優先度は２およびデータＥの優先度は１である。
【００４５】
図５に示す５つのデータＡ〜Ｅを、記憶容量が４．７ＧＢであるＤＶＤ１０８にコピーする場合に、合計６ＧＢのデータＡ〜Ｅは、そのままではＤＶＤ１０８に記録できないので、再圧縮が必要になる。再圧縮時の圧縮率は、各データＡ〜Ｅの優先度に応じて次のように決定される。先ず、再生処理部１０３が５つのデータＡ〜Ｅのヘッダ部分を復号し、各データＡ〜Ｅの優先度を取得する。
【００４６】
次に、優先度制御部１０６は、５つのデータＡ〜Ｅの優先度から以下のように再圧縮時のビットレートを決定する。初めに、優先度が５のデータＡは、再圧縮せずに（圧縮率０で）そのままコピーされる。それ以外のデータＢ〜Ｅは、それらのデータの優先度の大きさに反比例して圧縮率を高くする。即ち、各データは、１．２ＧＢ−（５−各データの優先度）×aで算出されるサイズとして、ＤＶＤ１０８に書き込まれる。ここで、aは各データの優先度に応じて変わる変数である。５つのデータＡ〜Ｅの合計サイズが４．７ＧＢになるようにすればよいので、データＡは１．２ＧＢ、データＢは（１．２−ａ）ＧＢ、データＣは（１．２−２×ａ）ＧＢデータＤは（１．２−３×ａ）ＧＢおよびデータＥは（１．２−４×ａ）ＧＢとなる。
【００４７】
上式で表される５つのデータＡ〜Ｅの合計サイズが４．７ＧＢになるようなａを求めると、ａ＝０．１３となる。そこで、データＢは１．０７ＧＢ、データＣは０．９４ＧＢ、データＤは０．８１ＧＢおよびデータＥは０．６８ＧＢとなるように再圧縮処理部１０４で再圧縮処理され、ＤＶＤ１０８に記録される。従って、元の（再圧縮前の）データサイズおよび再圧縮後のデータサイズの比率から、データＢは７．１３Ｍｂｐｓ、データＣは６．２７Ｍｂｐｓ、データＤは５．４ＭｂｐｓおよびデータＥは４．５３Ｍｂｐｓでそれぞれ再圧縮されることになる。
【００４８】
上述の如く、本発明によれば、１つの記録媒体に記録されたマルチメディアデータを他の記録媒体にコピーする際に、データの圧縮が必要となる場合において、ユーザが設定し且つデータ中に含まれる優先度に応じた圧縮率で確実且つ効果的にデータ圧縮して記録することが可能である。
【００４９】
以上、本発明によるデータ記録再生方法および装置の好適実施例および具体例を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、事当業者には容易に理解できよう。また、本発明は、ここに例示した用途以外に種々の用途が可能である。
【図面の簡単な説明】
【００５０】
【図１】本発明によるデータ記録再生装置の好適実施例構成を示すブ機能ロック図である。
【図２】本発明による優先度情報の記録方法を示す説明図である。
【図３】本発明における優先度の設定方法を示す説明図である。
【図４】本発明におけるユーザインタフェースの表示例を示す図である。
【図５】本発明のデータ記録再生装置におけるデータ際圧縮の具体例の説明図である。
【符号の説明】
【００５１】
１００  データ記録再生装置
１０１  圧縮処理部
１０２  記録処理部
１０３  再生処理部
１０４  再圧縮処理部
１０５  優先度入力部
１０６  優先度制御部
１０７    ＨＤＤ（記録媒体）
１０８    ＤＶＤ（記録媒体）
【図１】
2006053964.tif 000003
【図２】
2006053964.tif 000004
【図３】
2006053964.tif 000005
【図４】
2006053964.tif 000006
【図５】
2006053964.tif 000007